(57)【特許請求の範囲】
【請求項１】
顧客側端末と、前記顧客側端末と通信手段により結ばれたホストコンピュータとを備える塗料の再調色システムであって、
前記顧客側端末は、顧客が保有する塗料を識別することができるデータと、前記顧客が保有する塗料の量と、再調色後の塗料を識別することができるデータとを含む顧客データを、前記ホストコンピュータに送る顧客データ送信手段を備えるとともに、
前記ホストコンピュータは、前記顧客データを受信する受信手段と、
塗料の成分比を記録したデータベースと、
下記の(イ)〜(ニ)の工程により、各成分ごとの、再調色時に追加する成分の量を計算する計算手段とを備えることを特徴とする塗料の再調色システム。
（イ）前記データベースから、前記顧客が保有する塗料を識別することができるデータをキーワードとして顧客が保有する塗料の各成分ｉの成分比を呼び出し、その成分比と、前記顧客が保有する塗料の数量とから、顧客が保有する塗料中の各成分ｉの成分量Ａｉを算出するとともに、前記データベースから、前記再調色後の塗料を識別することができるデータをキーワードとして再調色後の塗料中での各成分ｉの成分比Ｂｉを呼び出す。
（ロ）前記Ａｉと前記Ｂｉとから、Ｒｉ＝Ｂｉ／Ａｉの式によって、各成分ｉごとの比率Ｒｉを算出し、各Ｒｉのうち、最小のものをｍｉｎＲｉとする。
（ハ）各成分ｉごとに、Ｃｉ＝Ｂｉ／（ｍｉｎＲｉ）の式により、Ｃｉを算出する。
（ニ）各成分ｉごとに（Ｃｉ−Ａｉ）を算出し、この（Ｃｉ−Ａｉ）を各成分ｉについて再調色時に追加する量とする。
【請求項２】
前記ホストコンピュータは、前記再調色時に追加する成分の種類と量とを前記顧客側端末に提供する再調色データ提供手段を備えることを特徴とする前記請求項１に記載の塗料の再調色システム。
【請求項３】
前記顧客側端末と、前記ホストコンピュータとの間の通信を、インターネットを用いて行うことを特徴とする前記請求項１又は２に記載の塗料の再調色システム。
【請求項４】
前記顧客側端末は、前記再調色に使用する材料を前記ホストコンピュータに発注する再調色材料発注手段を備えることを特徴とする前記請求項１〜３のいずれかに記載の塗料の再調色システム。
【発明の詳細な説明】
【０００１】
【発明の属する技術分野】
本発明は、塗料の再調色システムに関する。
【０００２】
【従来の技術】
従来より、例えば建築物等を塗装する際には、塗装する面積に応じて、必要な塗料量を見積もり、その分量だけの塗料を準備していた。しかし、塗装を行う時の環境条件の影響により、見積もりよりも塗料の消費量が少なくなったり、仕様変更により、塗料が余る、あるいは塗料が無駄になってしまうことがあった。
【０００３】
その様な場合には、その余った塗料は、ちょうど同じ色の塗料を使う機会があるまで保管しておくことが一般的であり、塗料の有効期間を越えてしまった場合には、塗料を廃棄処分することとなっていた。
【０００４】
【発明が解決しようとする課題】
しかし、余った塗料を保管するためには、そのための保管場所が必要であり、特に使用頻度の低い塗料の場合には、保管する期間が長期に亘り、結局、有効期間が経過して廃棄処分する場合があった。
【０００５】
又、余った塗料に所定の成分（白塗料、又は顔料）を添加して再調色し、他の用途に使うことが考えられるが、その場合には、まず、塗料メーカー等に、手持ちの塗料と、再調色することにより作りたい塗料のそれぞれの成分比を問い合わせ、次にそれらの成分比及び塗料の量を用いて、再調色において追加する成分の量を計算し、再調色を行うという煩雑な作業が必要であった。
【０００６】
本発明は以上の点に鑑みなされたものであり、塗料のユーザー（顧客）に対し、再調色に必要なデータ及び材料を提供することにより、再調色の作業を容易にし、並びに、資源の有効利用を可能とする塗料の再調色システムの提供を目的とする。
【０００７】
【課題を解決するための手段及び発明の効果】
（１）請求項１の発明は、
顧客側端末と、前記顧客側端末と通信手段により結ばれたホストコンピュータとを備える塗料の再調色システムであって、前記顧客側端末は、顧客が保有する塗料を識別することができるデータと、前記顧客が保有する塗料の量と、再調色後の塗料を識別することができるデータとを含む顧客データを、前記ホストコンピュータに送る顧客データ送信手段を備えるとともに、前記ホストコンピュータは、前記顧客データを受信する受信手段と、塗料の成分比を記録したデータベースと、下記の（イ）〜（ニ）の工程により、各成分ごとの、再調色時に追加する成分の量を計算する計算手段とを備えることを特徴とする塗料の再調色システムを要旨とする。
（イ）前記データベースから、前記顧客が保有する塗料を識別することができるデータをキーワードとして顧客が保有する塗料の各成分ｉの成分比を呼び出し、その成分比と、前記顧客が保有する塗料の数量とから、顧客が保有する塗料中の各成分ｉの成分量Ａｉを算出するとともに、前記データベースから、前記再調色後の塗料を識別することができるデータをキーワードとして再調色後の塗料中での各成分ｉの成分比Ｂｉを呼び出す。
（ロ）前記Ａｉと前記Ｂｉとから、Ｒｉ＝Ｂｉ／Ａｉの式によって、各成分ｉごとの比率Ｒｉを算出し、各Ｒｉのうち、最小のものをｍｉｎＲｉとする。
（ハ）各成分ｉごとに、Ｃｉ＝Ｂｉ／（ｍｉｎＲｉ）の式により、Ｃｉを算出する。
（ニ）各成分ｉごとに（Ｃｉ−Ａｉ）を算出し、この（Ｃｉ−Ａｉ）を各成分ｉについて再調色時に追加する量とする。
【０００８】
本発明は、例えば、顧客が、手持ちの塗料を基にして再調色を行い、所定の塗料を得ようとする場合に、商品サービス提供者が、その再調色に必要なデータ（再調色時に追加する成分の種類と量）を、例えば、顧客に提供することができるシステムである。
本発明では、顧客が保有する塗料を識別することができるデータと、前記顧客が保有する塗料の量と、再調色後の塗料を識別することができるデータとを含む顧客データは、顧客側端末から、ホストコンピュータへ送られる。顧客が保有する塗料を識別することができるデータとしては、例えば、商品名、色番号、ロット番号があり、再調色後の塗料を識別することができるデータとしては、例えば、商品名、色番号がある。
【０００９】
ホストコンピュータは、顧客データから、再調色に必要なデータ（再調色時に追加する成分の種類と量）を計算する。
【００１０】
つまり、ホストコンピュータは、再調色データ計算手段を実行する。ホストコンピュータには、例えば、各種塗料の種類、色番号、ロット番号ごとにそれらの成分比を記録したデータベースが記録されている。ホストコンピュータは、顧客データを受け取ると、そのデータに含まれる情報（例えば、塗料の種類、色番号、ロット番号）を手掛かりに、データベースから顧客の保有する塗料の成分比を呼び出す。
また、同様に、顧客データに含まれる、再調色後の商品を識別することができるデータを手掛かりに、再調色後の塗料の成分比を、データベースから呼び出す。
そして、ホストコンピュータは、顧客保有の塗料の成分比と、再調色後の塗料の成分比とから、再調色時に追加すべき成分（例えば、白塗料、顔料）の量を計算し、その結果を顧客側端末に伝える。
本発明では、ホストコンピュータを使用することにより、データベースを確実に保存することができ、又、再調色データの計算を、迅速且つ正確に行うことができる。
具体的な再調色データの計算方法としては、例えば、以下(i)〜(iv)の順番に計算する方法がある。
(i)ホストコンピュータには、商品サービス提供者が既に出荷した塗料についてのデータベース（製造出荷済み製品データベース）が設けられており、その製造出荷済み製品データベースには、出荷した塗料について、商品名、色番号、ロット番号毎に、それぞれの塗料の成分比が記録されている。
【００１１】
(ii)ホストコンピュータは顧客が保有する塗料を識別することができるデータと上記データベースを利用して、顧客の保有する塗料中の各成分量を計算する。
(iii)ホストコンピュータは再調色後の塗料を識別することができるデータと上記データベースを利用して、再調色後の塗料中の各成分量を計算する。
【００１２】
(iv)前記(iii)で計算した再調色後の塗料中の各成分量と、前記(ii)で計算した顧客の保有する塗料中での各成分量との差を求め、これを再調色時に追加する成分量とする。そして、各成分の追加量をまとめたものを、再調色データとする。
ホストコンピュータは、上記のように計算した再調色データを顧客側端末に提供することができる。顧客は、例えば、前記再調色データを用いて、自ら再調色を行うこともできるし、又、例えば、再調色を行う業者（再調色センター）に行わせることもできる。
【００１３】
【００１４】
本発明により、顧客は、例えば、再調色を容易に行うことができる。つまり、顧客自らが、自己の保有する塗料と、再調色により得ようとする塗料の成分比を調べ、それら成分比に基づいて再調色時に追加する成分量を計算するという煩雑な作業を行う必要がなくなる。
【００１５】
又、余った塗料を再調色して使用することが容易になるため、保管しておく塗料の量が少なくて済み、塗料の保管スペースを低減できる。
更に、余った塗料を再調色して使用できるので、塗料に要する費用を低減でき、資源の有効利用が可能になる。
【００１６】
・前記商品としては、例えば、再調色の際に追加する塗料の成分（例えば、白塗料、顔料）があり、又、再調色により得られる塗料の量が、必要量に満たない場合に、別途購入するその塗料がある。
（２）請求項２の発明は、
前記ホストコンピュータは、前記再調色時に追加する成分の種類と量とを前記顧客側端末に提供する再調色データ提供手段を備えることを特徴とする前記請求項１に記載の塗料の再調色システムを要旨とする。
【００１７】
本発明の再調色システムでは、顧客側端末は、ホストコンピュータから再調色時に追加する成分の種類と量とを受け取る。顧客はその再調時に追加する成分の種類と量とを用いて、再調色を行うことができる。
本発明により、顧客は、再調色を容易に行うことができる。つまり、顧客自らが、自己の保有する塗料と、再調色により得ようとする塗料の成分比を調べ、それら成分比に基づいて再調色時に追加する成分量を計算するという煩雑な作業を行う必要がなくなる。
【００１８】
・尚、再調色の作業は、顧客自らが行うこともできるし、例えば、再調色センターに行わせることもできる。再調色センターに行わせる場合には、例えば、顧客が保有する塗料と、再調色データとを、顧客から再調色センターに送ることができる。
【００１９】
（３）請求項３の発明は、
前記顧客側端末と、前記ホストコンピュータとの間の通信を、インターネットを用いて行うことを特徴とする前記請求項１又は２に記載の塗料の再調色システムを要旨とする。
【００２０】
本発明は、顧客側端末とホストコンピュータとの間の通信方法を例示している。
顧客側端末とホストコンピュータは、インターネットを使用することにより、迅速かつ容易に、例えば、データの送受信をすることができる。
又、インターネットの特徴である検索機能を用いることにより、顧客は、商品サービス提供者を検索することができ、商品サービス提供者は、例えば、塗装業者等をキーワードとして検索することにより、顧客となる可能性が高い者を検索することができる。
【００２１】
このことにより、顧客は、再調色を行おうとする際に、容易に商品サービス提供者を見つけることができ、又、商品サービス提供者は、新たな顧客を得ることができる。
更に、顧客と商品サービス提供者との通信を、一定のフォーマットを用いて行うことにより、必要な事項を漏れなく相手に伝えることができる。
【００２２】
例えば、図４〜図９に示す様に、所定の説明、指示等があらかじめ書き込まれており、入力すべき事項のみが空欄になっているフォーマットを使用することができる。
又、上記フォーマットに、再調色に関する商品又はサービスの提供以外のサービス（例えば、商品サービス提供者の商品紹介、単価照会、商品の発注）の欄を設けることにより、商品サービス提供者は、顧客に対し、それらのサービスも提供することができる。
【００２３】
（４）請求項４の発明は、
前記顧客側端末は、前記再調色に使用する材料を前記ホストコンピューに発注する再調色材料発注手段を備えることを特徴とする前記請求項１〜３のいずれかに記載の塗料の再調色システムを要旨とする。
【００２４】
本発明では、顧客側端末は、再調色に必要な材料（例えば、再調色において追加する塗料成分）を、ホストコンピュータに発注することができる。
特に、本発明では、ホストコンピュータが顧客側端末に再調色データを提供するので、顧客はその再調色データに基づいて、発注する材料の種類と量とを決めることができる。
【００２５】
商品サービス提供者は、例えば、顧客からの発注に応じて、再調色に使用する材料を提供することができる。再調色に使用する材料は、例えば、顧客自らが再調色を行う場合には顧客に提供することができ、又、再調色センターが再調色を行う場合には、再調色センターに提供することができる。
【００２６】
本発明により、顧客は、再調色に使用する材料を個々に発注する労力を省くことができ、商品サービス提供者は、再調色に使用する材料の販売量を増加させることができる。
【００２７】
顧客の保有する塗料を識別することができるデータとしては、例えば、商品名、色番号がある。
【００２８】
【００２９】
再調色後の塗料を識別することができるデータとしては、例えば、商品名、色番号、ロット番号がある。
【００３０】
【００３１】
【００３２】
【００３３】
【００３４】
【００３５】
【００３６】
【００３７】
【００３８】
【００３９】
【発明の実施の形態】
以下に本発明の再調色システムの実施の形態の例（実施例）を説明する。
（実施例１）
ａ）本実施例１の再調色システムの構成を図１を用いて説明する。
【００４０】
本実施例１の再調色システムは、主として、顧客側端末１、商品サービス提供者側端末２、及びホストコンピュータ３から構成されており、顧客側端末１と商品サービス提供者側端末２との間は、通信手段４（例えば、インターネット）で結ばれており、商品サービス提供者側端末２とホストコンピュータ３との間は、通信手段（例えば有線回線）で結ばれている。
【００４１】
顧客側端末１は、ホストコンピュータ３との間で通信を行うことができ、顧客が保有する塗料のデータ（再調色用商品データ）と、再調色を行うことにより、得ようとする所定の塗料のデータ（再調色後の商品データ）を送信することができる。又、顧客側端末１には、ユーザＩＤ及びパスワードが設定されており、これらを入力したときのみ、後述する処理が可能となる。
【００４２】
尚、再調色用商品データの内容としては、商品名、色番号、ロット番号、数量があり、再調色後の商品データとしては、商品名、色番号、数量がある。
商品サービス提供者側端末２は、ホストコンピュータ３に、データ、及び、後述する再調色データ計算に必要な計算式を入力することができる。又、商品サービス提供者側端末２は、ホストコンピュータ３から、商品（例えば、再調色に使用する塗料成分である白塗料、顔料等）についての顧客からの発注データ（商品発注データ）を受け取ることができる。
【００４３】
ホストコンピュータ３は、顧客側端末１から受け取った再調色用商品データと再調色後の商品データを基に、再調色データを算出し、その再調色データを顧客側端末１に提供するものである。
つまり、ホストコンピュータ３には、商品サービス提供者が提供する各塗料についてのデータベース（商品データベース）が設けられており、その商品データベースには、商品名、色番号毎に、それぞれの塗料の成分比が記録されている。
【００４４】
又、ホストコンピュータ３には、商品サービス提供者が既に出荷した塗料についてのデータベース（製造出荷済み製品データベース）が設けられており、その製造出荷済み製品データベースには、出荷した塗料について、商品名、色番号、ロット番号毎に、それぞれの塗料の成分比が記録されている。
【００４５】
ホストコンピュータ３は、顧客側端末１から送られた再調色用商品データと再調色後の商品データとを基に、後述する方法で、再調色データを算出し、顧客側端末１に送る。
又、ホストコンピュータ３は、顧客側端末１から、再調色に必要な商品の発注を受け、その発注に関するデータ（商品発注データ）を商品サービス提供者側端末２に送るものである。
【００４６】
尚、ホストコンピュータ３には、特定のユーザＩＤ及びパスワードが設定されており、顧客側端末１から送られるデータにこれらが記載されている場合のみ、本実施例１の処理を行うことができる。
ｂ）次に、本実施例１の再調色システムにおける顧客側端末１側の処理を、図１及び図２を用いて説明する。
【００４７】
尚、顧客側端末１とホストコンピュータ３との間の通信は、通信手段４（インターネット）により行われ、顧客側端末１は、パソコンの画面上に現れる図４〜９のフォーム上で後述の処理を行う。
ステップ１１０では、顧客側端末１は、通信手段４を通して、ホストコンピュータ３にアクセスする。
【００４８】
ステップ１２０では、顧客側端末１は、図５に示すフォーム上で、ＨＴＭＬ文書（ユーザＩＤ、パスワード）を入力する。
ステップ１３０では、ホストコンピュータ３から、顧客側端末１に対して、提供される商品又はサービスのメニューが表示される。
【００４９】
そのフォームは、図４に示すものである。
ステップ１４０では、図４のフォームに示されるメニューのうち、必要な項目を選択する。再調色を行う場合には、再調色の項目を選択し、ステップ１５０に進む。再調色以外の項目（商品紹介、在庫照会、単価照会、発注）を選択する場合には、それらの項目を選択し、ステップ１９０に進む。又、終了する場合には、終了を選択し、ステップ２３０へ進む。
【００５０】
ステップ１５０では、再調色用商品データ及び再調色後の商品データを入力して、ホストコンピュータ３に送信する。
つまり、図６のフォームにおいて、顧客が現在保有している塗料のデータ（商品名、色番号、ロット番号、数量）を入力し、図７のフォームにおいて、再調色することにより作成する予定の塗料のデータ（商品名、色番号、数量）を入力し、ホストコンピュータ３に送信する。
【００５１】
ステップ１６０では、ホストコンピュータ３から送られた再調色データを受信する。この再調色データは、図８のフォームにより顧客側端末１に示される。
この再調色データは、前記ステップ１５０で送信したデータに基づいて、後に詳述する方法で、ホストコンピュータ３が算出したものであり、顧客が保有する塗料を再調色するために必要な追加成分（白塗料及び顔料）の種類及び量を示すものである。
【００５２】
ステップ１７０では、前記ステップ１６０で示された再調色データのうち、必要なものを、ホストコンピュータ３に発注する。具体的には、図９のフォームにおいて、発注する商品（白塗料及び顔料）の種類及び量、商品の送り先を入力し、ホストコンピュータ３に送信する。
【００５３】
ステップ１８０では、処理を終了するか否かを問われ、ＹＥＳを選択すれば、ステップ２５０に進んで通信を切断し、一旦本処理を終了する。一方ステップ１８０でＮＯを選択すれば、再びステップ１４０に戻る。
又、前記ステップ１４０で再調色以外のメニューを選択した場合には、ステップ１９０に進み、その他のサービス（商品紹介、在庫照会、単価照会、発注）についての処理を行う。
【００５４】
ステップ２００では処理の終了するか否かを問われ、ＹＥＳを選択すれば、ステップ２１０に進んで通信を切断し、一旦本処理を終了する。一方ステップ２００でＮＯを選択すれば、再びステップ１４０に戻る。
更に、前にステップ１４０で終了を選択した場合には、ステップ２３０に進んで通信を切断し、一旦本処理を終了する。
【００５５】
ｃ）次に、本実施例１の再調色システムにおける商品サービス提供者側端末２及びホストコンピュータ３側の処理を、図１及び図３を用いて説明する。
ホストコンピュータ３がスタートすることにより、ステップ３２０では、顧客側端末１から送られたユーザＩＤとパスワードが正しいか否かをチェックする。ＹＥＳの場合はステップ３３０に進み、ＮＯの場合は、ステップ４００に進む。ステップ４００では、正しくないユーザＩＤとパスワードの入力回数が３回以上か否かを判断し、ＹＥＳの場合は、一旦本処理を終了し、ＮＯの場合は、ステップ４０５でユーザＩＤとパスワードの再入力を要求し、ステップ３２０に戻る。
【００５６】
ステップ３３０では、顧客側端末１から送られた再調色用商品データと再調色後の商品データ（図２ステップ１６０）とが、ホストコンピュータ３に送られる。
ステップ３４０では、ホストコンピュータ３において、再調色用商品データと再調色後の商品データとに基づいて、後に詳述する方法で、再調色データを算出する。
【００５７】
ステップ３５０では、前記ステップ３４０で算出した再調色データを、顧客側端末１に送信する。
ステップ３６０では、ホストコンピュータ３は、再調色において使用する商品（白塗料、顔料）の発注の要否と、発注する場合には、商品の種類と量とを顧客側端末１に質問し、その返答を受信する。
【００５８】
ステップ３７０では、前記ステップ３６０で得た顧客側端末１からの返答が、要（ＹＥＳ）である場合には、ステップ３８０に進み、不要（ＮＯ）の場合にはステップ３７０に進む。
ステップ３８０では、ホストコンピュータ３は、商品サービス提供者側端末２に対し、顧客が発注した商品の種類と量とのデータ（商品発注データ）を送り、商品サービス提供者側端末２は、その商品発注データに基づき、発注された商品の製造指示を、商品サービス提供者の製造部門の入力端末に対して出力する。製造された商品は、前記製造部門の出荷管理担当部門から顧客に提供される。
【００５９】
ステップ３９０では、ホストコンピュータ３が、処理を終了するか否かを判断する。顧客側端末１から送られた全てのデータを処理し終わった場合には、ＹＥＳを選択し、一旦本処理を終了する。又、未だ処理すべきデータが残っている場合には、ＮＯを選択し、ステップ３２０に戻る。
【００６０】
ｄ）次に、上記ステップ３４０において、再調色データを算出する具体的な方法を、表１を用いて説明する。
【００６１】
【表１】
0004054516.tif 000002
【００６２】
(i)前記ステップ３３０で顧客側端末１から送られてきた再調色用商品データ中には、顧客が現在保有している塗料の情報（商品名、色番号、ロット番号、数量）が含まれている。そこで、ホストコンピュータ３は、顧客が保有する塗料の商品名、色番号、ロット番号をキーワードとして、製造出荷済み製品データベースからその塗料の成分比を呼び出し、その成分比と、顧客の保有する塗料の数量とから、顧客が保有する塗料中の各成分量（Ａi）を算出する。
【００６３】
又、顧客側端末１から送られてきた再調色後の商品データ中には、再調色後の塗料の情報（商品名、色番号）が含まれており、ホストコンピュータ３は、その情報をキーワードとして、商品データベースの中から、再調色後の塗料中での各成分の比率（Ｂi）を呼び出す。尚、以下全て、成分比の単位は重量部である。
【００６４】
そして、ＡiとＢiとから、Ｒi＝Ｂi／Ａiの式によって、各成分ごとの比率（Ｒi）を、算出する。
尚、Ａi、Ｂi、Ｒi、Ｃiにおける添え字のiは１、２、３、４のいずれかの数字であり、それぞれ、白塗料、黒顔料、茶顔料、黄顔料に対応している。例えば、Ａ1は顧客が保有する塗料中の白塗料の成分量を示しており、Ｂ1は再調色後の塗料における白塗料の成分比を示しており、Ｒ1はＢ1／Ａ1を示している。
【００６５】
(ii)Ｒiのうち、最小のものをｍｉｎＲiとして、Ｂi／（minＲi）を算出し、これをＣiとする。例えば、表１では、ｍｉｎＲiは０．９４５９であり、この０．９４５９で各Ｂiを割ることで各Ｃiを算出する。
上記のように算出した各Ｃi同士の比率は各Ｂｉ同士の比率と同じであるため、Ｃiは再調色後の塗料の成分比を示している。
【００６６】
又、いずれのＣiの数値も、対応するＡiよりも大きいため、Ａiの量に、所定の量の成分を加えることにより、Ｃiの量にすることができる。
従って、Ｃiは再調色後の塗料の各成分量とすることができる。
(iii)Ｃi−Ａiを算出する。Ｃiは再調色後における塗料の各成分量であり、Ａiは顧客の保有する塗料の各成分量であるので、Ｃi−Ａiは、再調色の際に、追加する各成分の量を表している。そして、Ｃi−Ａiの値を、各塗料成分についてまとめたものが、再調色データとなる。
【００６７】
ｅ）上記ｄ）と同様にして、再調色を行った例を、表２及び表３に示す。
表２の例では、表１の例と同様に、黒顔料、茶顔料、黄顔料が再調色において追加する成分であり、表３の例では、白塗料、茶顔料、黄顔料が、再調色において追加する成分である。
【００６８】
【表２】
0004054516.tif 000003
【００６９】
【表３】
0004054516.tif 000004
【００７０】
尚、本実施例における白塗料の組成は、以下の通りである。
酸化チタン        ２００
エマルション      ６００
水                １００
造膜助剤            ８０
増粘剤                ７
その他              ２０
ｆ）本実施例１の再調色システムは以下の効果を奏する。
【００７１】
(i)余った塗料を再利用できるので、塗料に要する費用を低減できる。
(ii)余った塗料を、次に全く同じ塗料を使う時まで保管しておく必要がないため、塗料の保管期間が短くて済む。そのため、塗料の保管量が少なくなり、保管に要する収納スペースを低減できる。
【００７２】
(iii)再調色を行う場合に、手持ちの塗料と、再調色後の塗料とのそれぞれの成分比を調べ、追加する成分量を計算するという、煩雑な作業が不要となる。
【００７３】
【００７４】
【００７５】
【００７６】
【００７７】
【００７８】
【００７９】
【００８０】
【００８１】
【００８２】
【００８３】
【００８４】
尚、本発明は、前記実施例になんら限定されるものではなく、本発明を逸脱しない範囲において種々の態様で実施しうることはいうまでもない。
【００８５】
・例えば、再調色データの計算方法について、顧客の保有する塗料が複数有る場合には、それぞれの塗料を単独で再調色の元として算出した再調色データと、それらの塗料を混合した物を元に算出した再調色データとを比較して、最も追加する成分量の少ない方法、又は、追加する成分の価格が最も安い方法を選択することができる。
【００８６】
例えば、顧客が、ＸとＹという２種の塗料を保有しており、再調色によりＺという塗料を得たい場合、（イ）Ｘを元にして再調色を行う場合の再調色データと、（ロ）Ｙを元にして再調色を行う場合の再調色データと、（ハ）ＸとＹを混合した塗料を元に再調色を行う場合の再調色データとをそれぞれ算出して比較し、（イ）〜（ハ）の中から最も追加する成分量の少ない方法、又は、追加する成分の価格が最も安い方法を選択することができる。
【００８７】
・又、顧客が必要とする塗料の量が、再調色の結果得られる塗料の量よりも多い場合には、その不足分は、その塗料を別途購入することにより満たすことができる。
例えば、顧客が塗料Ｘを５０Ｌ保有しており、塗料Ｙを１００Ｌ必要とする場合に、Ｘを元にして本実施例１の方法で再調色を行えば、Ｙを６０Ｌ得るとする。その場合には、Ｙの不足分４０Ｌは、別途Ｙを４０Ｌ購入することで不足を補うことができる。そして、例えば、この不足分を購入するか否かを、実施例１のステップ３５０で商品サービス提供者側端末２が顧客側端末１に尋ね、顧客側端末１が必要であると判断した場合には、商品サービス提供者側端末２に発注することができる。
【００８８】
【００８９】
【００９０】
【００９１】
【００９２】
【００９３】
【図面の簡単な説明】
【図１】  実施例１の塗料の再調色システムの構成を示す説明図である。
【図２】   実施例１での顧客側端末１の処理を示すシステムフロー図である。
【図３】  実施例１での商品サービス提供者側端末２及びホストコンピュータ３の処理を示すシステムフロー図である。
【図４】  実施例１のメニューページを示す説明図である。
【図５】  実施例１のユーザＩＤ及びパスワード入力ページを示す説明図である。
【図６】  実施例１の在庫情報入力ページを示す説明図である。
【図７】  実施例１の再調色計画入力ページを示す説明図である。
【図８】  実施例１の再調色データ表示ページを示す説明図である。
【図９】  実施例１の発注品入力ページの説明図である。
【図１０】  実施例２の塗料の再調色システムの構成を示す説明図である。
【図１１】  実施例２での顧客側端末１の処理を示すシステムフロー図である。
【図１２】  実施例２での商品サービス提供者側端末２及びホストコンピュータ３の処理を示すシステムフロー図である。
【符号の説明】
１・・・顧客側端末
２・・・商品サービス提供者側端末
３・・・ホストコンピュータ
４・・・通信手段
５・・・再調色センター
【図１】
0004054516.tif 000005
【図２】
0004054516.tif 000006
【図３】
0004054516.tif 000007
【図４】
0004054516.tif 000008
【図５】
0004054516.tif 000009
【図６】
0004054516.tif 000010
【図７】
0004054516.tif 000011
【図８】
0004054516.tif 000012
【図９】
0004054516.tif 000013
【図１０】
0004054516.tif 000014
【図１１】
0004054516.tif 000015
【図１２】
0004054516.tif 000016